(57)【特許請求の範囲】
【請求項１】
１対の仕切鍔の間の中央に位置するケースの内側に凸部を設け、磁気ギャップを有する珪素鋼板を積層した磁心を、前記凸部に前記磁気ギャップを介して、前記ケースに装着し、前記仕切鍔によって２箇所を区切った絶縁性ケースに巻線を施した複合型コイル部品であって、前記仕切鍔を境にした一方の巻枠部分に平滑コイル用巻線を巻回し、さらに前記仕切鍔の間の他方の巻枠部分に電流検出用巻線を該平滑コイル用巻線と同一方向に巻回したことを特徴とする複合型コイル部品。
【発明の詳細な説明】
【０００１】
【産業上の利用分野】
本発明は、電子機器や電気機器の電源回路に用いられる複合型コイル部品に関する。
【０００２】
【従来の技術】
例えば、図４に示すような電磁調理器用電源回路では全波整流回路２２で整流した後、直流平滑用チョークコイル２８により平滑を行い、正極側はＩＨ用コイル２５に接続し、該ＩＨ用コイル２５の他端はスイッチングトランジスタ２４のコレクタにつながっている。
【０００３】
また、この電磁調理器の制御を行う中央処理装置（ＣＰＵ）２７はパルス波形を出力して、スイッチングトランジスタ２４を駆動させる。磁性体の鍋２６が在る時には、鍋２６の表面には渦電流が発生して、ＩＨ用コイル２５には大きな電流が流れ、鍋２６がＩＨ用コイル２５上にない場合はＩＨ用コイル２５に流れる電流は減少する。
【０００４】
このときの電流値の変化を電流検出用トランス２３によって検出し、その検出信号をＣＰＵ２７に導入し、その指示によって、磁性体の鍋２６がないときには連続的なパルスを制御して無負荷過大電流が流れるのを防止していた。
【０００５】
従って、平滑用チョークコイル２８と電流検出用トランス２３を別々の部品で構成していた。
【０００６】
【発明が解決しようとする課題】
しかし、このような回路では平滑用チョークコイルと電流検出用トランスが別々に構成されるため、部品点数が多くなりコストが高くなっており、電源回路の小型化が障害になっていた。
【０００７】
本発明の目的は、電流検出用トランスと平滑コイルを同一磁心に構成し、電源回路を安価でしかも小型化できる信頼性の高い複合型コイル部品を提供することにある。
【０００８】
【課題を解決するための手段】
本発明は上述のような問題を解決し、平滑用チョークコイルと電流検出用トランスを一体化し、安価な複合型コイル部品を提供するために考えられたものである。即ち、１対の仕切鍔の間の中央に位置するケースの内側に凸部を設け、磁気ギャップを有する珪素鋼板を積層した磁心を、前記凸部に前記磁気ギャップを介して、前記ケースに装着し、前記仕切鍔によって２箇所を区切った絶縁性ケースに巻線を施した複合型コイル部品であって、前記仕切鍔を境にした一方の巻枠部分に平滑コイル用巻線を巻回し、さらに前記仕切鍔の間の他方の巻枠部分に電流検出用巻線を該平滑コイル用巻線と同一方向に巻回したことを特徴とする複合型コイル部品である。
【０００９】
【作用】
従来の技術では、電磁調理器などの電源回路において、平滑用チョークコイルと電流検出用トランスは別々に構成されていた。一方、本発明の複合型コイル部品においては、積層した薄板珪素鋼の磁心に平滑コイル用巻線と電流検出コイル用巻線を設けたので、１個の複合型コイル部品で電流平滑と電流検出の機能を行うことができる。
【００１０】
【実施例】
本発明の実施例を図面を用いて説明する。
【００１１】
図１は本発明になる一実施例の複合型コイル部品の斜視図である。また、図２は前記複合型コイル部品に用いられる磁心及びケースの分解斜視図である。
【００１２】
本発明の複合型コイル部品は、まず図２に示すように、ギャップ長が１．５ｍｍ、公差±０．３ｍｍの磁気ギャップ６を設けた、外径２８ｍｍ、内径１４ｍｍ、高さ１２ｍｍのＣ字型の薄板の珪素鋼版を、例えば２４枚積層してなる外径２８ｍｍ、内径１４ｍｍ、高さ１２ｍｍの磁心３をケース２に収納したものである。
【００１３】
ケース２は絶縁樹脂からなり、上記の磁心３を収納できるようにリング状の磁心収納凹部１０を有し、かつ該磁心収納凹部１０内には、前記磁心３の磁気ギャップ６に嵌合する凸部９を有し、かつ外周及び内周をそれぞれ２分割する２つの仕切鍔７ａを有する。
【００１４】
一方、ケース２の蓋５は絶縁樹脂製のリング状薄板からなる。この蓋５は上面に２つの突起状の仕切鍔７ｂを有する。
【００１５】
本発明の複合型コイル部品は、次のように組み立てられる。先ず、前記ケース２のリング状磁心収納凹部１０に前記磁心３を収納する。収納は磁心３の磁気ギャップ６を前記ケース２に設けられた凸部９に挿嵌する。
【００１６】
さらに、絶縁樹脂からなるケース２の蓋５を装着し、組み付ける。このとき、蓋５に設けた２つの前記仕切鍔７ｂをケース２の２つの仕切鍔７ａに合わせて装着する。
【００１７】
さらに、図１に示すように、前記２つの仕切鍔７を境に電流平滑コイル用の巻線４ａ及び前記仕切鍔７間には電流検出コイル用の巻線４ｂを巻回する。両巻線は同一方向に巻回する。
【００１８】
以上のように電流平滑用コイルと電流検出用トランスを同一の磁心に一体化した複合型コイル部品１を構成する。
【００１９】
本実施例の複合型コイル部品を用いた電磁調理器用電源回路の一例を図３に示す。正極側は従来と同様にＩＨ用コイル２５に接続され、該ＩＨ用コイル２５の他端はスイッチングトランジスタ２４のコレクタに接続され、該スイッチングトランジスタ２４のエミックは基準点（０Ｖ）に接続されている。全波整流回路２２によって、全波整流された電流は本発明の複合型コイル部品１の電流平滑コイル用の巻線４ａに流れ、直流電流に平滑されるが、リップルの多い脈流成分を含んだ電流である。電流検出コイル用の巻線４ｂは、脈流成分を含んだ電流を検出し、ＣＰＵ２７へ信号として入力し、ＣＰＵはパルス波形を出力してスイッチングトランジスタ２４を駆動させ、ＩＨ用コイル２５に流れる電流を制御する。
【００２０】
また本発明の複合型コイル部品は、磁気ギャップ６を有するＣ型の珪素鋼版を積層した前記磁心３を使用しているので、磁心３は直流重畳特性に優れ、巻線４ａに１０アンペア程度の電流を印加しても磁気飽和を起こすことはない。
【００２１】
巻線４ｂによって検出された脈流成分を含む直流電流をＣＰＵ２７で判定し、スイッチングトランジスタ２４を駆動してＩＨ用コイル２５に流れる高周波電流を制御する。
【００２２】
本実施例による複合型コイル部品によれば、電流平滑と電流検出の２つの機能を同時に行うことができる。
【００２３】
【発明の効果】
以上述べたように、本発明によれば、電流平滑用巻線と電流検出用巻線の２組の巻線を施した１個の磁心による複合型コイル部品によって、脈流電流の電流平滑と電流検出を行えるので、電源回路の小型化がはかれ、従来に比べてコストの削減ができる。
【図面の簡単な説明】
【図１】本発明の実施例による複合型コイル部品の斜視図。
【図２】本発明の実施例による複合型コイル部品の磁心及びケースの分解斜視図。
【図３】本発明の実施例による複合型コイル部品を用いた電磁調理器の電源回路を構成する一例を示す回路図。
【図４】従来例による電磁調理器の電源回路を構成する一例を示す回路図。
【符号の説明】
１    複合型コイル部品
２    ケース
３    磁心
４ａ，４ｂ    巻線
５        蓋
６    磁気ギャップ
７，７ａ，７ｂ    仕切鍔
９    凸部
１０    磁心収納凹部
２２    全波整流回路
２３    電流検出用トランス
２４    スイッチングトランジスタ
２５    ＩＨ用コイル
２６    鍋
２７    中央処理装置（ＣＰＵ）
２８    直流平滑用チョークコイル
３０    電流が流れる方向
【図１】
0003576273.tif 000002
【図２】
0003576273.tif 000003
【図３】
0003576273.tif 000004
【図４】
0003576273.tif 000005